(57)【特許請求の範囲】
【請求項１】
周辺セルリストと再選択禁止リストとに従って、信号測定が実行される必要があるセルが存在するか否かを判定するステップと、
信号測定が実行される必要があるセルが存在する場合、前記信号測定が実行される必要があるセル及び現在のサービングセルについて信号測定を実行し、測定結果を取得するステップと、
前記測定結果がセル再選択の起動条件を満たす場合、セル再選択を起動するステップと
を有し、
前記周辺セルリストは、前記現在のサービングセルの周辺セルにより形成されたリストを示し、前記再選択禁止リストは、セル再選択が禁止されたセルにより形成されたリストを示し、
前記再選択禁止リストは、
N回の再選択が依然として成功しないセルを前記再選択禁止リストに追加し、ただし、Nは、第１の閾値以上の正の整数であるというルール、又は
設定時間内にM回の再選択が前記現在のサービングセル及び前記周辺セルリストのセルの一部について実行された場合、前記現在のサービングセル及び前記周辺セルリストの前記セルの前記一部の中で最も良い信号安定性を有するセルを除く他のセルを前記再選択禁止リストに追加し、ただし、Mは、第２の閾値以上の正の整数であるというルール、又は
設定時間内にM回の再選択が前記現在のサービングセル及び前記周辺セルリストの全てのセルについて実行され、前記現在のサービングセルの前記信号安定性が前記現在のサービングセル及び前記周辺セルリストの全てのセルの中で最も良くない場合、前記現在のサービングセル及び前記周辺セルリストの全てのセルの中で最も良い信号安定性を有するセルを除く他のセルを前記再選択禁止リストに追加し、ただし、Mは、第２の閾値以上の正の整数であるというルール、及び
前記測定結果が前記セル再選択の起動条件を満たすが、前記セル再選択の起動条件を満たす全てのセルについて実行されたセル再選択が成功しない場合、前記再選択禁止リストのセルを前記再選択禁止リストから削除するというルール
を有するルールに従って生成又は更新されるセル再選択方法。
【請求項２】
前記周辺セルリストと前記再選択禁止リストとに従って、信号測定が実行される必要があるセルが存在するか否かを判定するステップは、
前記周辺セルリストのセルを読み取るステップと、
前記周辺セルリストの前記セルが前記再選択禁止リストに含まれない場合、信号測定が実行される必要があるセルが存在すると判定するするステップと
を有し、
前記信号測定が実行される必要があるセルは、前記周辺セルリスト内にあるが、前記再選択禁止リストに含まれないセルを示す、請求項１に記載のセル再選択方法。
【請求項３】
前記周辺セルリストと前記再選択禁止リストとに従って、信号測定が実行される必要があるセルが存在するか否かを判定するステップは、
再選択リストが前記周辺セルリストのセルを有する場合、信号測定が実行される必要があるセルが存在すると判定するステップを有し、
前記再選択リストは、前記周辺セルリストと前記再選択禁止リストとに従って判定され、前記再選択リストのセルは、前記周辺セルリストに含まれるが、前記再選択禁止リストに含まれないセルを示し、前記信号測定が実行される必要があるセルは、前記再選択リストのセルを示す、請求項１に記載のセル再選択方法。
【請求項４】
信号測定が実行される必要があるセルが存在しないと判定された場合、セルの信号測定は実行されない、請求項１ないし３のうちいずれか１項に記載のセル再選択方法。
【請求項５】
前記再選択禁止リストは、
前記現在のサービングセルの信号強度が設定された強度よりも高く、前記現在のサービングセルの信号品質が設定された品質よりも高い場合、前記周辺セルリストの全てのセルを前記再選択禁止リストに追加するというルール、又は
設定時間内にM回の再選択が前記現在のサービングセル及び前記周辺セルリストの全てのセルについて実行され、前記現在のサービングセルの信号安定性が前記現在のサービングセル及び前記周辺セルリストの全てのセルの中で最も良い場合、前記周辺セルリストの全てのセルを前記再選択禁止リストに追加し、ただし、Mは、第２の閾値以上の正の整数であるというルール
を有するルールに従って生成又は更新される、請求項４に記載のセル再選択方法。
【請求項６】
プロセッサとモデムとを有する移動端末であって、
前記プロセッサは、周辺セルリストと再選択禁止リストとに従って、信号測定が実行される必要があるセルが存在するか否かを判定するように構成され、
前記モデムは、信号測定が実行される必要があるセルが存在すると前記プロセッサが判定した場合、前記信号測定が実行される必要があるセル及び現在のサービングセルについて信号測定を実行し、測定結果を取得するように構成され、
前記プロセッサは、前記モデムの前記測定結果に従って、セル再選択の起動条件が満たされたか否かを判断し、前記起動条件が満たされた場合、前記モデムにより実行されるセル再選択を起動するように更に構成され、
前記周辺セルリストは、前記現在のサービングセルの周辺セルにより形成されたリストを示し、前記再選択禁止リストは、セル再選択が禁止されたセルにより形成されたリストを示し、
前記プロセッサは、
N回の再選択が依然として成功しないセルを前記再選択禁止リストに追加し、ただし、Nは、第１の閾値以上の正の整数であるというルール、又は
設定時間内にM回の再選択が前記現在のサービングセル及び前記周辺セルリストのセルの一部について実行された場合、前記現在のサービングセル及び前記周辺セルリストの前記セルの前記一部の中で最も良い信号安定性を有するセルを除く他のセルを前記再選択禁止リストに追加し、ただし、Mは、第２の閾値以上の正の整数であるというルール、又は
設定時間内にM回の再選択が前記現在のサービングセル及び前記周辺セルリストの全てのセルについて実行され、前記現在のサービングセルの前記信号安定性が前記現在のサービングセル及び前記周辺セルリストの全てのセルの中で最も良くない場合、前記現在のサービングセル及び前記周辺セルリストの全てのセルの中で最も良い信号安定性を有するセルを除く他のセルを前記再選択禁止リストに追加し、ただし、Mは、第２の閾値以上の正の整数であるというルール、及び
前記測定結果が前記セル再選択の起動条件を満たすが、前記セル再選択の起動条件を満たす全てのセルについて実行されたセル再選択が成功しない場合、前記再選択禁止リストのセルを前記再選択禁止リストから削除するというルール
を有するルールに従って前記再選択禁止リストを生成又は更新するように更に構成される移動端末。
【請求項７】
前記プロセッサは、第１の読み取りユニットと、第１の判断ユニットと、第１の判定ユニットと、第１の起動ユニットとを特に有し、
前記第１の読み取りユニットは、前記周辺セルリストのセルを読み取るように構成され、
前記第１の判断ユニットは、前記周辺セルリストの前記セルが前記再選択禁止リストに含まれるか否かを判断するように構成され、ただし、前記周辺セルリストの前記セルは、前記第１の読み取りユニットにより読み取られ、
前記第１の判定ユニットは、前記周辺セルリストの前記セルが前記再選択禁止リストに含まれないと前記第１の判断ユニットが判断した場合、信号測定が実行される必要があるセルが存在すると判定するように構成され、
前記第１の起動ユニットは、前記モデムの前記測定結果に従って、セル再選択の起動条件が満たされたか否かを判断し、前記起動条件が満たされた場合、前記モデムにより実行されるセル再選択を起動するように構成され、
前記信号測定が実行される必要があるセルは、前記周辺セルリスト内にあるが、前記再選択禁止リストに含まれないセルを示す、請求項６に記載の移動端末。
【請求項８】
前記プロセッサは、第２の読み取りユニットと、第２の判定ユニットと、第２の起動ユニットとを特に有し、
前記第２の読み取りユニットは、再選択リストを読み取るように構成され、
前記第２の判定ユニットは、前記再選択リストが前記周辺セルリストのセルを有することを前記第２の読み取りユニットが読み取った場合、信号測定が実行される必要があるセルが存在すると判定するように構成され、
前記第２の起動ユニットは、前記モデムの前記測定結果に従って、セル再選択の起動条件が満たされたか否かを判断し、前記起動条件が満たされた場合、前記モデムにより実行されるセル再選択を起動するように構成され、
前記再選択リストは、前記周辺セルリストと前記再選択禁止リストとに従って判定され、前記再選択リストのセルは、前記周辺セルリストに含まれるが、前記再選択禁止リストに含まれないセルを示し、信号測定が実行される必要があるセルは、前記再選択リストのセルを示す、請求項７に記載の移動端末。
【請求項９】
信号測定が実行される必要があるセルが存在しないと前記プロセッサが判定した場合、前記プロセッサは、前記モデムにより実行されるセルの信号測定を起動しないように更に構成される、請求項７又は８に記載の移動端末。
【請求項１０】
前記プロセッサは、
前記現在のサービングセルの信号強度が設定された強度よりも高く、前記現在のサービングセルの信号品質が設定された品質よりも高い場合、前記周辺セルリストの全てのセルを前記再選択禁止リストに追加するというルール、又は
設定時間内にM回の再選択が前記現在のサービングセル及び前記周辺セルリストの全てのセルについて実行され、前記現在のサービングセルの信号安定性が前記現在のサービングセル及び前記周辺セルリストの全てのセルの中で最も良い場合、前記周辺セルリストの全てのセルを前記再選択禁止リストに追加し、ただし、Mは、第２の閾値以上の正の整数であるというルール
を有するルールに従って前記再選択禁止リストを生成又は更新するように更に構成される、請求項９に記載の移動端末。
【発明の詳細な説明】
【技術分野】
【０００１】
本発明は、通信技術の分野に関し、特にセル再選択方法及び移動端末に関する。
【背景技術】
【０００２】
現在では、スマートフォン、データカード及び移動通信機能を備えたタブレットコンピュータのような移動端末は、一般的にモデムを有する。アイドル状態において、モデムは、セル再選択基準に従って周期的にネットワークを検索し、周辺セルの信号を測定し、現在最適なセルを選択する。これにより、移動端末は、現在最適なセルにキャンプ（在圏）する。
【発明の概要】
【発明が解決しようとする課題】
【０００３】
しかし、既存のセル再選択方法は、移動端末に対してセル再選択を頻繁に実行させることがあるため、移動端末の電力消費をもたらし、移動端末の待ち受け時間を短くする。
【０００４】
本発明の実施例は、移動端末の電力消費を減少させ、移動端末の待ち受け時間を延ばすためのセル再選択方法及び移動端末を提供する。
【課題を解決するための手段】
【０００５】
一態様では、本発明の実施例は、セル再選択方法を提供し、
周辺セルリストと再選択禁止リストとに従って、信号測定が実行される必要があるセルが存在するか否かを判定するステップと、
信号測定が実行される必要があるセルが存在する場合、信号測定が実行される必要があるセル及び現在のサービングセルについて信号測定を実行し、測定結果を取得するステップと、
測定結果がセル再選択の起動条件を満たす場合、セル再選択を起動するステップとを含み、
周辺セルリストは、現在のサービングセルの周辺セルにより形成されたリストを示し、再選択禁止リストは、セル再選択が禁止されたセルにより形成されたリストを示す。
【０００６】
他の態様では、本発明の実施例は、プロセッサとモデムとを含む移動端末を提供し、
プロセッサは、周辺セルリストと再選択禁止リストとに従って、信号測定が実行される必要があるセルが存在するか否かを判定するように構成され、
モデムは、信号測定が実行される必要があるセルが存在するとプロセッサが判定した場合、信号測定が実行される必要があるセル及び現在のサービングセルについて信号測定を実行し、測定結果を取得するように構成され、
プロセッサは、モデムの測定結果に従って、セル再選択の起動条件が満たされたか否かを判断し、起動条件が満たされた場合、モデムにより実行されるセル再選択を起動するように更に構成され、
周辺セルリストは、現在のサービングセルの周辺セルにより形成されたリストを示し、再選択禁止リストは、セル再選択が禁止されたセルにより形成されたリストを示す。
【０００７】
本発明の実施例では、信号測定が実行される必要があるセルが存在するか否かは、周辺セルリストと再選択禁止リストとに従って判定され、信号測定が実行される必要があるセルが存在する場合、測定結果を取得するために、信号測定が実行される必要があるセル及び現在のサービングセルについて信号測定が実行され、測定結果がセル再選択の起動条件を満たす場合、セル再選択が起動される。従って、セル再選択が実行される必要がある場合、再選択禁止リストのセルについて信号測定はもはや実行されず、不要な信号測定及びセル再選択が回避される。これにより、移動端末の電力消費を減少させ、移動端末の待ち受け時間を延ばす。
【図面の簡単な説明】
【０００８】
【図１】本発明の実施例によるセル再選択方法の概略フローチャート
【図２】本発明の他の実施例による移動端末の概略構成図
【図３】本発明の他の実施例による移動端末の他の概略構成図
【図４】本発明の他の実施例による移動端末の他の概略構成図
【発明を実施するための形態】
【０００９】
本発明の実施例又は従来技術における技術的対策を明確に説明するために、実施例又は従来技術を説明するために必要な添付図面について、以下に簡単に紹介する。明らかに、以下の説明における添付図面は、本発明の単にいくつかの実施例を示しているに過ぎず、当業者は、創造的取り組みを行うことなく、依然としてこれらの添付図面から他の図面を導くことができる。
【００１０】
本発明の実施例の目的、技術的対策及び利点を理解できるようにするために、本発明の実施例の技術的対策について、本発明の実施例の添付図面を参照して以下に明確且つ完全に記載する。明らかに、記載する実施例は、本発明の実施例の全てではなく、単なる一部である。創造的取り組みを行うことなく、本発明の実施例に基づいて当業者により得られる全ての他の実施例は、本発明の保護範囲内に入るものとする。
【００１１】
本発明の技術的対策は、GSM（登録商標）（Global  System  for  Mobile  Communications）、GPRS（General  Packet  Radio  Service）システム、CDMA（Code  Division  Multiple  Access）システム、CDMA2000システム、WCDMA（Wideband  Code  Division  Multiple  Access）システム、LTE（Long  Term  Evolution）システム又はWiMAX（World  Interoperability  for  Microwave  Access）システムのような様々な移動通信システムに適用されてもよい。
【００１２】
図１は、本発明の実施例によるセル再選択方法の概略フローチャートである。図１に示すように、本発明のこの実施例のセル再選択方法は、以下のステップを含む。
【００１３】
101：周辺セルリストと再選択禁止リストとに従って、信号測定が実行される必要があるセルが存在するか否かを判定する。
【００１４】
本発明の実施例では、セルは、移動通信においてカバーされる必要がある全てのエリアが複数の部分（すなわち、異なるセル）に分割されることを意味し、一般的には、１つの基地局は３つのセルに分割される。
【００１５】
現在のサービングセル（current  serving  cell）は、移動端末への接続を現在確立しているセルを示し、移動端末は、セルを通じてデータ情報を送信及び受信する。
【００１６】
周辺セルは、重複する部分でカバーされた少なくとも２つのセルを示し、１つのセルは、複数の周辺セルを有してもよい。移動端末が現在のサービングセルに接続されている場合、移動端末は、現在のサービングセルの周辺セル情報を受信する。周辺セル情報は、ネットワーク側により配信され、移動端末は、周辺セル情報に従って周辺セルリストを生成する。すなわち、周辺セルリストは、現在のサービングセルの周辺セルにより形成されたリストを示し、周辺セルリストは、現在のサービングセルの周辺セルの識別子により形成されてもよい。
【００１７】
移動端末がアイドル状態になっている場合、移動端末が現在のサービングセルから好ましいセルにハンドオーバされる処理は、セル再選択である。再選択禁止リストは、セル再選択が禁止されたセルのリストを示し、再選択禁止リストは、セル再選択が禁止されたセルの識別子により形成されてもよい。
【００１８】
移動端末は、周辺セルリストと再選択禁止リストとに従って、信号測定が実行される必要があるセルが存在するか否かを判定する。
【００１９】
具体的には、移動端末は、周辺セルリストを読み取り、周辺セルリストのセルが再選択禁止リストに含まれるか否かを判断し、周辺セルリストのセルが再選択禁止リストに含まれない場合、信号測定が実行される必要があるセルが存在すると判定する。ただし、信号測定が実行される必要があるセルは、周辺セルリストに存在するが、再選択禁止リストに含まれないセルを示す。移動端末は、周辺セルリストのセルが再選択禁止リストに全て含まれる場合、信号測定が実行される必要があるセルが存在しないと判定する。
【００２０】
或いは、移動端末は、再選択リストを読み取り、再選択リストが周辺セルリストのセルを含むか否かを判断し、再選択リストが周辺セルリストのセルを含む場合、信号測定が実行される必要があるセルが存在すると判定する。ただし、信号測定が実行される必要があるセルは、再選択リストのセルを示す。移動端末は、再選択リストが周辺セルリストのセルを含まない場合、信号測定が実行される必要があるセルが存在しないと判定する。再選択リストは、周辺セルリストと再選択禁止リストとに従って判定され、再選択リストのセルは、周辺セルリストに含まれるが、再選択禁止リストに含まれないセルである。具体的には、再選択リストを判定する方法は、周辺セルリストを読み取り、周辺セルリストのセルが再選択禁止リストに含まれるか否かを判断し、周辺セルリストのセルが再選択禁止リストに含まれない場合、周辺セルリストのセルを再選択リストに追加することでもよい。
【００２１】
102：信号測定が実行される必要があるセルが存在する場合、信号測定が実行される必要があるセル及び現在のサービングセルについて信号測定を実行し、測定結果を取得する。
【００２２】
ステップ101において、信号測定が実行される必要があるセルが存在すると判定された場合、信号測定が実行される必要があるセル及び現在のサービングセルについて信号測定が実行される。
【００２３】
信号測定が実行される必要があるセルが存在するか否かを判断し、信号測定が実行されるセルについて信号測定を実行する実装方法は、具体的には、移動端末が周辺セルリストの１つのセルを読み取り、セルが再選択禁止リストに含まれるか否かを判断し、セルが再選択禁止リストに含まれない場合、セルについて信号測定を実行し、セルが再選択禁止リストに含まれる場合、セルについて信号測定を実行せず、周辺セルリストの次のセルを読み取り、周辺セルリストの全てのセルが完全に処理されるまで同じ処理を実行することでもよい。これにより、信号測定が実行される必要がある全てのセルの測定結果を取得する。
【００２４】
或いは、移動端末が周辺セルリストの１つのセルを読み取り、セルが再選択禁止リストに含まれるか否かを判断し、セルが再選択禁止リストに含まれない場合、セルを一時リストに追加し、セルが再選択禁止リストに含まれる場合、セルを一時リストに追加せず、周辺セルリストの次のセルを読み取り、周辺セルリストの全てのセルが完全に処理されるまで同じ処理を実行し、次に、一時リストのセルを読み取り、一時リストのセルについて信号測定を実行することでもよい。これにより、信号測定が実行される必要がある全てのセルの測定結果を取得する。一時リストはキャッシュリストでもよい。
【００２５】
或いは、移動端末が再選択リストの１つのセルを読み取り、セルについて信号測定を実行し、次に、再選択リストの全てのセルについて信号測定が実行されるまで、再選択リストの次のセルを読み取り、次のセルについて信号測定を実行する。れにより、信号測定が実行される必要がある全てのセルの測定結果を取得する。
【００２６】
好ましくは、信号測定は、信号強度測定と信号品質測定とを含んでもよい。
【００２７】
信号強度は、受信信号の大きさを示すために使用される。例えば、信号レベル値が信号強度を示すために使用されてもよい。例えば、特定のセルの信号レベル値が-67dbmとして測定された場合、特定のセルの信号強度は-67dbmであると考えられてもよい。信号強度が大きいほど、信号が良好である。例えば、China  Mobileは、受信信号レベル値≧（都市部では-90dbm、地方部では-94dbm）である場合、信号カバレッジ要件が満たされると規定している。
【００２８】
信号品質は、受信信号の品質を示すために使用される。受信信号の品質は、信号の純度として理解されてもよい。受信信号の信号レベル値が大きいが多くのノイズを含む場合、受信信号の信号品質値も小さくなることがあり、受信信号の信号品質は悪い。信号品質値の一般的な計算方法は、信号品質値=希望波受信電力（received  signal  code  power）/受信信号強度インジケータである。
【００２９】
信号測定を実行することは、信号強度を測定することのみを示してもよく、信号品質を測定することのみを示してもよく、信号強度と信号品質との双方を測定することを示してもよいことが分かる。明らかに、信号電力及び信号安定性のように、信号特性を示し得る他の値も測定されてもよいことが分かる。信号特性は、ここでは特に限定されない。
【００３０】
ステップ101において信号測定が実行される必要があるセルが存在しないと判定された場合、セルの信号測定は実行されない。
【００３１】
103：測定結果がセル再選択の起動条件を満たす場合、セル再選択を起動する。
【００３２】
例えば、セル再選択の起動条件が満たされたか否かは、信号強度と信号品質とに従って判断されてもよい。具体的には、信号強度閾値及び信号品質閾値が予め設定されてもよい。測定を通じて取得された信号強度が信号強度閾値よりも高く、測定を通じて取得された信号品質が信号品質閾値よりも高い場合、測定結果がセル再選択の起動条件を満たすと判定され、セル再選択が起動される。
【００３３】
セル再選択の起動条件が満たされたか否かは、信号強度又は信号品質に従ってのみ判断されてもよく、信号電力及び信号安定性のような信号特性を示し得る他の値に従って判断されてもよいことが分かる。信号特性は、ここでは特に限定されない。
【００３４】
任意選択で、ステップ101の前に、再選択禁止リストを生成又は更新することが更に含まれてもよい。具体的には、再選択禁止リストは、以下のものを含むルールに従って生成又は更新されてもよい。
【００３５】
(1)N回の再選択が依然として成功しないセルを再選択禁止リストに追加する。ただし、Nは、第１の閾値以上の正の整数である。
【００３６】
例えば、セルAの信号強度及び信号品質の双方がセル再選択の起動条件を満たし、セル再選択が実行されるが、何らかの理由で（例えば、セル容量が制限されている、又は移動端末がアクセス許可を有していない）、セルAについて多くの回数（5回等）のセル再選択が成功せず、成功しない再選択回数の数（5回等）が第１の閾値（3回等）よりも大きい場合、セルAの識別子は、再選択禁止リストに追加される。
【００３７】
このように、信号測定は、セル再選択の起動条件を満たすが、セル再選択を実行する際に実際に失敗したいくつかのセルについてもはや実行されず、セル再選択ももはや実行されない。これにより、不要なセル再選択を回避し、移動端末の電力消費を減少させ、移動端末の待ち受け時間を延ばす。
【００３８】
(2)設定時間内にM回の再選択が現在のサービングセル及び周辺セルリストのセルの一部について実行された場合、現在のサービングセル及び周辺セルリストのセルの一部の中で最も良い信号安定性を有するセルを除く他のセルを再選択禁止リストに追加する。ただし、Mは、第２の閾値以上の正の整数である。
【００３９】
(3)設定時間内にM回の再選択が現在のサービングセル及び周辺セルリストの全てのセルについて実行され、現在のサービングセルの信号安定性が現在のサービングセル及び周辺セルリストの全てのセルの中で最も良くない場合、現在のサービングセル及び周辺セルリストの全てのセルの中で最も良い信号安定性を有するセルを除く他のセルを再選択禁止リストに追加する。ただし、Mは、第２の閾値以上の正の整数である。
【００４０】
(4)設定時間内にM回の再選択が現在のサービングセル及び周辺セルリストの全てのセルについて実行され、現在のサービングセルの信号安定性が現在のサービングセル及び周辺セルリストの全てのセルの中で最も良い場合、周辺セルリストの全てのセルを再選択禁止リストに追加する。ただし、Mは、第２の閾値以上の正の整数である。
【００４１】
前述の(2)、(3)及び(4)の場合、信号安定性は、信号品質の安定状態を示し、これは、一般的に信号品質の変動により示される。変動が小さいほど、信号安定性が良い。
【００４２】
例えば、セルの信号不安定性のような要因のため、M回（例えば、5回）の再選択が設定時間（例えば、3分）内に現在のサービングセル及び周辺セルリストのセルについて実行され、再選択回数の数（例えば、5回）が第２の閾値（例えば、3回）より大きい場合、現在のサービングセル及び周辺セルリストのセルの中で最も良い信号安定性を有するセルを除く他のセルの識別子は、再選択禁止リストに追加される。
【００４３】
このように、セルの信号が不安定であり、セル再選択が複数のセルの間で頻繁に実行される場合、最も良い信号安定性を有するセルが確保され、他のセルが再選択禁止リストに追加される。これにより、移動端末は比較的安定したセルにキャンプ（在圏）し、信号測定は、他の比較的不安定なセルについてもはや実行されず、セル再選択ももはや実行されない。これにより、不要な信号測定及びセル再選択が回避され、移動端末の電力消費を減少させ、移動端末の待ち受け時間を延ばす。
【００４４】
(5)現在のサービングセルの信号強度が設定された強度よりも高く、現在のサービングセルの信号品質が設定された品質よりも高い場合、周辺セルリストの全てのセルを再選択禁止リストに追加する。
【００４５】
例えば、現在のサービングセルの信号が非常に良好であり、信号の信号強度が設定された強度閾値よりも高く、信号品質が設定された品質閾値よりも高い場合、周辺セルリストの全てのセルの識別子は、再選択禁止リストに追加されてもよい。
【００４６】
このように、現在のサービングセルの信号が移動端末の信号要件を満たすのに十分である場合、周辺セルリストの全てのセルを再選択禁止リストに追加することにより、信号測定は周辺セルリストのセルについてもはや実行されなくてもよく、セル再選択ももはや実行されなくてもよい。これにより、不要な信号測定及びセル再選択が回避され、移動端末の電力消費を減少させ、移動端末の待ち受け時間を延ばす。
【００４７】
(6)信号測定が実行される必要があるセルが存在し、セルの測定結果がセル再選択の起動条件を満たし、セル再選択が実行されるが、セル再選択の起動条件を満たす全てのセルについてセル再選択を実行する処理が成功しない場合（例えば、セル容量が制限されている、又は移動端末がアクセス許可を有していない）、再選択禁止リストのセルは、再選択禁止リストから削除される。再選択禁止リストのセルを除く周辺セルリストの他のセル（すなわち、再選択リストのセル）の全てのセルがセル再選択の実行に失敗した場合、再選択禁止リストのセルは、再選択禁止リストから削除される。すなわち、再選択リストが空になり、このようにセル再選択が次に実行される場合、信号測定は、周辺セルリストの全てのセルについて実行される。
【００４８】
具体的には、前述のルール(1)、(2)、(3)及び(6)に従って更新された再選択禁止リストでは、周辺セルリストと再選択禁止リストとに従って、信号測定が実行される必要があるセルが存在するため、信号測定が実行される必要があると判定されてもよい。
【００４９】
前述のルール(4)及び(5)に従って更新される再選択禁止リストでは、周辺セルリストと再選択禁止リストとに従って、信号測定が実行される必要があるセルが存在しないため、信号測定が実行される必要がなく、現在のサービングセルが使用され続けてもよいと判定されてもよい。
【００５０】
本発明のこの実施例では、信号測定が実行される必要があるセルが存在するか否かは、周辺セルリストと再選択禁止リストとに従って判定される。信号測定が実行される必要があるセルが存在する場合、測定結果を取得するために、信号測定が実行される必要があるセル及び現在のサービングセルについて信号測定が実行される。測定結果がセル再選択の起動条件を満たす場合、セル再選択が起動される。従って、セル再選択が実行される必要がある場合、信号測定は、再選択禁止リストのセルについてもはや実行されず、不要な信号測定及びセル再選択が回避される。これにより、移動端末の電力消費を減少させ、移動端末の待ち受け時間を延ばす。
【００５１】
簡潔には、前述の方法の実施例は、一連の動作として記載される点に留意すべきである。しかし、当業者は、本発明が記載の動作の順序に限定されないことを認識するべきである。この理由は、本発明によれば、いくつかのステップは他の順序を採用してもよく、同時に実行されてもよいからである。当業者はまた、明細書に記載の実施例の全てが例示的な実施例に属し、関与する動作が必ずしも本発明に必要であるとは限らないことを認識するべきである。
【００５２】
本発明の他の実施例は、移動端末を提供する。図２に示すように、図２には、本発明の他の実施例による移動端末の概略構成図である。移動端末は、プロセッサ21とモデム22とを含む。
【００５３】
プロセッサ21は、周辺セルリストと再選択禁止リストとに従って、信号測定が実行される必要があるセルが存在するか否かを判定するように構成される。
【００５４】
モデム22は、信号測定が実行される必要があるセルが存在するとプロセッサ21が判定した場合、信号測定が実行される必要があるセル及び現在のサービングセルについて信号測定を実行し、測定結果を取得するように構成される。
【００５５】
プロセッサ21は、モデム22の測定結果に従って、セル再選択の起動条件が満たされたか否かを判断し、起動条件が満たされた場合、モデム22により実行されるセル再選択を起動するように更に構成される。
【００５６】
周辺セルリストは、現在のサービングセルの周辺セルにより形成されたリストを示し、再選択禁止リストは、セル再選択が禁止されたセルにより形成されたリストを示す。
【００５７】
更に、図３に示すように、プロセッサ21は、第１の読み取りユニット2101と、第１の判断ユニット2102と、第１の判定ユニット2103と、第１の起動ユニット2104とを特に含む。
【００５８】
第１の読み取りユニット2101は、周辺セルリストのセルを読み取るように構成される。
【００５９】
第１の判断ユニット2102は、周辺セルリストのセルが再選択禁止リストに含まれるか否かを判断するように構成される。ただし、周辺セルリストのセルは、第１の読み取りユニット2101により読み取られる。
【００６０】
第１の判定ユニット2103は、周辺セルリストのセルが再選択禁止リストに含まれないと第１の判断ユニット2102が判断した場合、信号測定が実行される必要があるセルが存在すると判定するように構成される。
【００６１】
第１の起動ユニット2104は、モデム22の測定結果に従って、セル再選択の起動条件が満たされたか否かを判断し、起動条件が満たされた場合、モデム22により実行されるセル再選択を起動するように構成される。
【００６２】
信号測定が実行される必要があるセルは、周辺セルリスト内にあるが、再選択禁止リストに含まれないセルを示す。
【００６３】
或いは、図４に示すように、プロセッサ21は、第２の読み取りユニット2111と、第２の判定ユニット2112と、第２の起動ユニット2113とを特に含む。
【００６４】
第２の読み取りユニット2111は、再選択リストを読み取るように構成される。
【００６５】
第２の判定ユニット2112は、再選択リストが周辺セルリストのセルを含むことを第２の読み取りユニット2111が読み取った場合、信号測定が実行される必要があるセルが存在すると判定するように構成される。
【００６６】
第２の起動ユニット2113は、モデム22の測定結果に従って、セル再選択の起動条件が満たされたか否かを判断し、起動条件が満たされた場合、モデム22により実行されるセル再選択を起動するように構成される。
【００６７】
再選択リストは、周辺セルリストと再選択禁止リストとに従って判定される。再選択リストのセルは、周辺セルリストに含まれるが、再選択禁止リストに含まれないセルを示す。信号測定が実行される必要があるセルは、再選択リストのセルを示す。
【００６８】
更に、プロセッサ21は、以下のルールに従って再選択禁止リストを生成又は更新するように更に構成される。ルールは以下のものを含む。
【００６９】
(1)N回の再選択が依然として成功しないセルを再選択禁止リストに追加する。ただし、Nは、第１の閾値以上の正の整数である。
【００７０】
(2)設定時間内にM回の再選択が現在のサービングセル及び周辺セルリストのセルの一部について実行された場合、現在のサービングセル及び周辺セルリストのセルの一部の中で最も良い信号安定性を有するセルを除く他のセルを再選択禁止リストに追加する。ただし、Mは、第２の閾値以上の正の整数である。
【００７１】
(3)設定時間内にM回の再選択が現在のサービングセル及び周辺セルリストの全てのセルについて実行され、現在のサービングセルの信号安定性が現在のサービングセル及び周辺セルリストの全てのセルの中で最も良くない場合、現在のサービングセル及び周辺セルリストの全てのセルの中で最も良い信号安定性を有するセルを除く他のセルを再選択禁止リストに追加する。ただし、Mは、第２の閾値以上の正の整数である。
【００７２】
(4)信号測定が実行される必要があるセルが存在し、セルの測定結果がセル再選択の起動条件を満たし、セル再選択が実行されるが、セル再選択の起動条件を満たす全てのセルについてセル再選択を実行する処理が成功しない場合、再選択禁止リストのセルは、再選択禁止リストから削除される。
【００７３】
信号測定が実行される必要があるセルが存在しないとプロセッサ21が判定した場合、モデム22により実行されるセルの信号測定は起動されない。
【００７４】
この時点で、プロセッサ21は、以下のものを含むルールに従って再選択禁止リストを生成又は更新するように更に構成される。
【００７５】
(5)現在のサービングセルの信号強度が設定された強度よりも高く、現在のサービングセルの信号品質が設定された品質よりも高い場合、周辺セルリストの全てのセルを再選択禁止リストに追加する。
【００７６】
(6)設定時間内にM回の再選択が現在のサービングセル及び周辺セルリストの全てのセルについて実行され、現在のサービングセルの信号安定性が現在のサービングセル及び周辺セルリストの全てのセルの中で最も良い場合、周辺セルリストの全てのセルを再選択禁止リストに追加する。ただし、Mは、第２の閾値以上の正の整数である。
【００７７】
本発明の実施例では、信号測定が実行される必要があるセルが存在するか否かは、周辺セルリストと再選択禁止リストとに従って判定される。信号測定が実行される必要があるセルが存在する場合、測定結果を取得するために、信号測定が実行される必要があるセル及び現在のサービングセルについて信号測定が実行される。測定結果がセル再選択の起動条件を満たす場合、セル再選択が起動される。従って、セル再選択が実行される必要がある場合、信号測定は、再選択禁止リストのセルについてもはや実行されず、不要な信号測定及びセル再選択が回避される。これにより、移動端末の電力消費を減少させ、移動端末の待ち受け時間を延ばす。
【００７８】
便宜上の説明及び簡潔な説明の目的で、前述のシステム、装置及びユニットの特別な動作処理について、前述の方法の実施例の対応する処理への参照が行われてもよく、ここでは再び説明しないことが、当業者に明らかに分かる。
【００７９】
別々の部分として記載したユニットは、物理的に離れてもよく、離れていなくてもよい。ユニットとして表示した部分は、物理的なユニットでもよく、物理的なユニットでなくてもよく、１つの位置に配置されてもよく、複数のネットワークユニットに分散されてもよい。ユニットの一部又は全部は、実施例の対策の目的を実現するための実際のニーズに従って選択されてもよい。
【００８０】
更に、本発明の実施例の機能ユニットは１つの処理ユニットに統合されてもよく、各ユニットは物理的に単独で存在してもよく、２つ以上のユニットは１つのユニットに統合されてもよい。統合されたユニットは、ハードウェアの形式で実装されてもよく、ハードウェアにソフトウェアの機能ユニットを追加した形式で実装されてもよい。
【００８１】
ソフトウェア機能ユニットの形式で実装された統合されたユニットは、コンピュータ可読記憶媒体に格納されてもよい。ソフトウェア機能ユニットは、本発明の実施例に記載の方法のステップを実行するために、記憶媒体に格納される。
【００８２】
最後に、前述の実施例は、本発明を限定するものではなく、単に本発明の技術的対策を説明することを意図している。前述の実施例を参照して本発明について詳細に説明したが、当業者は、変更及び等価置換によって対応する技術的対策の本質が本発明の実施例の技術的対策の要旨及び範囲を逸脱しなくならない限り、依然として前述の実施例に記載の技術的対策に変更を行ってもよく、技術的対策のいくつかの技術的特徴に等価置換を行ってもよいことを認識するべきである。
【符号の説明】
【００８３】
２１      プロセッサ
２２      モデム
２１０１  第１の読み取りユニット
２１０２  第１の判断ユニット
２１０３  第１の判定ユニット
２１０４  第１の起動ユニット
２１１１  第２の読み取りユニット
２１１２  第２の判定ユニット
２１１３  第２の起動ユニット
【図１】
0005557940.tif 000002
【図２】
0005557940.tif 000003
【図３】
0005557940.tif 000004
【図４】
0005557940.tif 000005